(57)【要約】【課題】  定着装置の交換単位の部品費用の低減を図り、かつ交換作業を簡単に短時間で行えるようにする。【解決手段】  加熱体と、前記加熱体を内包する回転ローラと、前記回転ローラの軸方向両端部に設けられ前記回転ローラを回転可能に支持するローラ保持部材とを備えた加熱ローラユニットと、前記加熱ローラユニットに対し開閉可能に設けられた開閉部材と、を有する定着装置において、前記ローラ保持部材の外側面に、前記回転ローラの軸方向に対し直交する方向の溝を設け、前記開閉部材には、開閉部材を閉じた際に前記溝へ嵌合し、前記加熱ローラユニットの軸方向の位置を規制する規制部材を設けた。【選択図】図１
2006145838.tif 000002
【特許請求の範囲】
【請求項１】
加熱体と、
前記加熱体を内包する回転ローラと、
前記回転ローラの軸方向両端部に設けられ前記回転ローラを回転可能に支持するローラ保持部材とを備えた加熱ローラユニットと、
前記加熱ローラユニットに対し開閉可能に設けられた開閉部材と、を有する定着装置において、
前記ローラ保持部材の外側面に、前記回転ローラの軸方向に対し直交する方向の溝を設け、前記開閉部材には、開閉部材を閉じた際に前記溝へ嵌合し、前記加熱ローラユニットの軸方向の位置を規制する規制部材を設けたことを特徴とする定着装置。
【発明の詳細な説明】
【技術分野】
【０００１】
本発明は、電子写真装置の定着装置に関するものである。
【背景技術】
【０００２】
加熱ローラと加圧ローラと筐体からなる脱着可能に設けられた定着ユニットと、定着ローラ圧接機構を有する電子写真装置本体により、保守性に優れた定着装置か開示されている（例えば、特許文献１参照）。
【０００３】
【特許文献１】特開平０９−０２２２１６号公報
【発明の開示】
【発明が解決しようとする課題】
【０００４】
しかしながら、上記構成は、定着ユニット内部の軸受や加熱体や用紙走行ガイドや用紙剥離部材なども交換することとなり、保守費用の増大を招く可能性がある。このため、回転ローラ単体で交換しようとすると、交換作業が煩雑となるため交換時間が増大し、保守費用の増加を招く結果となる。また、交換の際に回転ローラを破損する可能性も増加するため、更なる保守費用の増加を招く結果となる。
【課題を解決するための手段】
【０００５】
本発明は、加熱体と、前記加熱体を内包する回転ローラと、前記回転ローラの軸方向両端部に設けられ前記回転ローラを回転可能に支持するローラ保持部材とを備えた加熱ローラユニットと、前記加熱ローラユニットに対し開閉可能に設けられた開閉部材と、を有する定着装置において、前記ローラ保持部材の外側面に、前記回転ローラの軸方向に対し直交する方向の溝を設け、前記開閉部材には、開閉部材を閉じた際に前記溝へ嵌合し、前記加熱ローラユニットの軸方向の位置を規制する規制部材を設けたことを特徴とする。
【発明の効果】
【０００６】
本発明によれば、回転ローラが寿命や傷などで交換が必要になった場合に、加熱ローラユニットを交換すればよく、回転ローラ単体での交換に比べて、交換に要する時間を大幅に短縮でき、且つ、定着ユニットでの交換に比べて、交換部品の費用を削減することができる。
【０００７】
また、加熱体ユニットを加熱ローラユニットから取り外して再利用すれば、更なる交換部品の費用を削減することができる。
【０００８】
更には、加圧ローラが寿命や傷などで交換が必要になった場合においても、回転ローラ単体での交換に比べて、交換に要する時間を大幅に短縮でき、且つ、定着ユニットでの交換に比べて、交換部品の費用も削減することができる。
【発明を実施するための最良の形態】
【０００９】
以下、図面を用いて本発明の実施例を説明する。
【００１０】
図１は本発明の定着装置の概略構成図である。図１において、回転ローラ１は、断熱用樹脂部材５と軸受４により、定着装置の上側の筐体３で回転可能に保持されている。加圧ローラ２は、定着装置の上側の筐体３に設けられた加圧リンク１９とバネ２０により回転可能に支持され、かつ回転ロール１に押し付けられている。
【００１１】
回転ローラ１の軸方向位置は、止め輪８，９、保持部材６、連結部材としてのシャフト７により規制されて、図２に示すように加熱ローラユニット２４の一部を成している。保持部材６には溝２６が設けられており、この溝２６に定着装置の上側の筐体３が入り込み、嵌合させることにより、転がり軸受４が直接支持され、加熱ローラユニット２４の軸方向の位置が規制されている。
【００１２】
加熱体ユニット２５は、図３に示すように複数の加熱体１２、保持部材１３，１４、ネジ１６によりユニットとして成されている。また、加熱体ユニット２５は、図２に示すように板金ホルダ１０、板金ホルダ１１、ネジ１７、１８により、保持部材６に組付けられて、加熱ローラユニット２４を成している。加熱ローラユニット２４より加熱体ユニット２５を取り外す場合には、ネジ１８を外すだけで容易に取り外しが可能となる。
【００１３】
次に、加熱ローラユニット２４の交換方法について図４、図５を用いて説明する。図４は、図１の断面を表わしたものである。定着装置の上側の筐体３は、下側の筐体２１に、シャフト２２を支点にして回転可能に位置決めされている。定着装置の上側の筐体３を閉じ、対向する位置でシャフト２３を挿入することにより、加熱ローラユニット２４を保持する構造となっている。シャフト７は、保持部材６との回転方向の位相を保つように保持部材６の周上の２箇所に配置され、これにより交換作業を容易にしている。
【００１４】
加熱ローラユニット２４を取り外す場合には、図４に示すように定着装置の上側の筐体３を矢印Ａ方向に回動させ、図５に示すように保持部材６およびシャフト７を矢印Ｂ方向に持ち上げて取り外す。
【００１５】
ここで、保持部材６を樹脂により製作すれば、回転ローラ１を冷却せずに加熱ローラユニット２４を持つことができるので、交換が可能となり、更なる交換時間の短縮が図れる。
【００１６】
また、シャフト７を樹脂により製作しても同様の効果が期待できる。
【００１７】
更には、シャフト２２、２３の代わりに、ピンを定着装置の上側の筐体３、下側の筐体２１の両側から差し込む構造としても、同様に交換時間を短縮効果が期待できる。
【００１８】
更には、連結部材としてのシャフト７は、ステイ状の板金として、保持部材６にネジ固定しても、同様の効果が得られる。
【図面の簡単な説明】
【００１９】
【図１】本発明の定着装置の概略構成図である。
【図２】本発明の加熱ローラユニットの概略構成図である。
【図３】本発明の加熱体ユニットの概略構成図である。
【図４】本発明の定着装置の概略断面図である。
【図５】定着装置の上側の筐体を持ち上げた場合の概略断面図である。
【符号の説明】
【００２０】
１は回転ローラ、２は加圧ローラ、３は定着装置の上側の筐体、４は転がり軸受、５は断熱用樹脂部材、６は保持部材、７はシャフト、８，９は止め輪、１０，１１は板金ホルダ、１２は加熱体、１３，１４，１５は保持部材、１６，１７，１８はネジ、１９は加圧リンク、２０はバネ、２１は定着装置の下側の筐体、２２，２３はシャフト、２４は加熱ローラユニット、２５は加熱体ユニット、２６は溝である。
【図１】
2006145838.tif 000003
【図２】
2006145838.tif 000004
【図３】
2006145838.tif 000005
【図４】
2006145838.tif 000006
【図５】
2006145838.tif 000007